(57)【特許請求の範囲】
【請求項１】
四本の脚体（１ａ）が略十字状に開いた状態で固定された載置用支持脚（１）と、四本の保持アーム（２ａ）が略十字状に開いた状態で固定された巻装体保持部材（２）と、前記載置用支持脚（１）に前記巻装体保持部材（２）を軸支する軸支部（３）とから構成され、前記載置用支持脚（１）の上方に前記巻装体保持部材（２）を水平回転自在に取り付けた巻装体繰出装置において、前記四本の保持アーム（２ａ）のうち対向する二本の保持アーム（２ａ）に、保持アーム（２ａ）の適宜位置で垂直方向に停止可能とすると共に折り畳み可能とした一対のスタッド（６）を取り付けた巻装体繰出装置であって、前記スタッド（６）を、上端を折り曲げてフック部（６ａ）を形成した棒状体とし、前記スタッド（６）を折り畳んだとき、前記スタッド（６）のフック部（６ａ）を、前記保持アーム（２ａ）に形成した係止穴（１０）に係止させ、前記スタッド（６）を前記保持アーム（２ａ）に折り畳んだ状態で止めておくようにしたことを特徴とする巻装体繰出装置。
【請求項２】
前記四本の脚体（１ａ）のうちの何れかの一本の脚体（１ａ）の一端に、巻装体の案内部材（４）を折り畳み自在として取り付けたものとしたことを特徴とする請求項１記載の巻装体繰出装置。
【発明の詳細な説明】
【０００１】
【発明の属する技術分野】
この発明は、電線や電話線等の長尺線条を円環状に巻回した巻装体、またはこれら長尺線条を挿入して配線するのに使用するＣＤ管等を円環状に巻回した巻装体をそのまま、またはシュリンクフィルムやラップフィルム等で外装したものを装着し、これら巻装体を内側または外側から繰り出すようにした巻装体繰出装置に関するものである。
【０００２】
【従来の技術】
従来、この種の巻装体繰出装置は、例えば登録実用新案第３００１２６７号公報に掲載されたものが存在する。この巻装体繰出装置は、図８に示したように、上連結体２１と下連結体２２を鉛直軸心廻りに回転自在に枢着し、下連結体２２に、四本の載置用支持脚２３…を、外径方向へ放射状に展開自在かつ下方へ一本の束状に折り畳み自在（図９参照）として連結すると共に、上連結体２１に、円環状に巻回した巻装体を保持する四本の巻装体保持部材２４…を、外径方向へ放射状に展開在在かつ上方へ一本の束状に折り畳み自在として連結したものとしている。
【０００３】
具体的には、各巻装体保持部材２４が、円環状に巻回した巻装体の内径孔に当接または近接するスタッド２５と、この巻装体の底面を受ける保持アーム２６とを備え、スタッド２５をスライド固定自在に取り付けている。そして、スタッド２５は、スライド体２７と、保持アーム２６に対して起伏固定自在としてスライド体２７に連結される支持体２８とを備えている。
【０００４】
このように構成された従来の巻装体繰出装置を使用する場合には、先ず、支持脚２３…を外径方向へ放射状に展開し、載置面に載置する。次に、保持部材２４…を、外径方向へ放射状に展開する。さらに、各保持部材２４のスタッド２５をスライドさせてその相互間隔を適宜調整し、スライド体２７を固定して支持体２８を起立させる。そして、円環状に巻回した巻装体の内径孔に支持体２８を当接または近接させて、この巻装体を保持アーム２６に載置する。その後、巻装体の先端部を持って引き出せば、保持部材２４…が上連結体１と一体に鉛直軸心廻りに回転して、保持部材２４…に保持された巻装体が順次繰り出されていく。
【０００５】
また、従来の巻装体繰出装置を使用しない場合には、図９の仮想線のように、支持体２８を折り畳んで保持アーム２６に伏せた状態にして、スライド体２７を保持アーム２６の基端部までスライドさせ、図９の実線のように、保持部材２４…を上方へ折り畳むと共に支持脚２３…を下方へ折り畳んで、全体を一本の束状にし、持ち運びおよび収納し易いものとしている。
【０００６】
【発明が解決しようとする課題】
しかしながら、従来の巻装体繰出装置は、使用する場合には上記したように、巻装体が外径方向へ放射状に展開した巻装体保持部材２４…に保持されているため、巻装体を繰り出すときの反動で、前記保持部材２４…が展開状態から元の状態に戻ろうとして跳ね上がるときがあり、巻装体もこれにつられて跳ね上がり、しっかりと保持しておけなかったり、跳ね上がって着地したときの衝撃で巻装体に傷がついてしまうという課題を有していた。
【０００７】
また、従来の巻装体繰出装置は、使用しない場合には上記したように全体を一本の束状にするが、巻装体保持部材２４…を上方へ折り畳むと共に載置用支持脚２３…を下方へ折り畳むという作業が非常に面倒であり、さらに巻装体保持部材２４…と支持脚載置用支持脚２３…をそれぞれベルト等でしっかりと縛っておかないと、これらが勝手に展開してばらついてしまうという課題を有していた。
【０００８】
さらに、従来の巻装体繰出装置は、使用する場合や使用しない場合に、その使用する状態から使用しない状態、または使用しない状態から使用する状態に素早く切り換えることができないという課題を有していた。
【０００９】
そこで、この発明は、上記従来の課題を解決するものであり、使用する場合に巻装体を勢いよく繰り出しても、その反動で巻装体が跳ね上がったりせず、巻装体をしっかりと保持しておくことができ、巻装体に傷をつけることもなく、また使用しない場合に巻装体保持部材および載置用支持脚を折り畳むという作業を不要とし、しかもこれら巻装体保持部材および載置用支持脚を簡単に動かないようにして、ばらついてしまうことのないようにし、さらに使用する場合や使用しない場合に、その使用する状態から使用しない状態、または使用しない状態から使用する状態に素早く切り換えることができるようにした巻装体繰出装置を提供することを目的としてなされたものである。
【００１０】
【課題を解決するための手段】
そのため、この発明の巻装体繰出装置は、四本の脚体１ａが略十字状に開いた状態で固定された載置用支持脚１と、四本の保持アーム２ａが略十字状に開いた状態で固定された巻装体保持部材２と、前記載置用支持脚１に前記巻装体保持部材２を軸支する軸支部３とから構成され、前記載置用支持脚１の上方に前記巻装体保持部材２を水平回転自在に取り付けた巻装体繰出装置において、前記四本の保持アーム２ａのうち対向する二本の保持アーム２ａに、保持アーム２ａの適宜位置で垂直方向に停止可能とすると共に折り畳み可能とした一対のスタッド６を取り付けた巻装体繰出装置であって、前記スタッド６を、上端を折り曲げてフック部６ａを形成した棒状体とし、前記スタッド６を折り畳んだとき、前記スタッド６のフック部６ａを、前記保持アーム２ａに形成した係止穴１０に係止させ、前記スタッド６を前記保持アーム２ａに折り畳んだ状態で止めておくようにしたものとしている。
【００１１】
そして、この発明の巻装体繰出装置は、前記四本の脚体１a のうちの何れかの一本の脚体１ａの一端に、巻装体の案内部材４を折り畳み自在として取り付けたものとしている。
【００１４】
【発明の実施の形態】
以下、この発明の巻装体繰出装置の実施の形態を、図面に基づいて詳細に説明する。
【００１５】
図１に示したように、この発明の巻装体繰出装置は、略十字状とした載置用支持脚１と、略十字状とした巻装体保持部材２と、載置用支持脚１に巻装体保持部材２を軸支する軸支部３とから構成されている。
【００１６】
載置用支持脚１は、金属や合成樹脂からなる角管や丸管または角棒や丸棒としており、四本の脚体１ａが略十字状に開いた状態で固定されており、これら四本の脚体１ａで載置面にそのまま載置できるようにしている。そして、前記四本の脚体１ａのうちの何れかの一本の脚体１ａの一端には、巻装体の案内部材４を折り畳み自在として取り付けたものとしている。この案内部材４は、丸棒を折り曲げて巻装体を通すためのリング部４ａを形成すると共に、丸棒の両端に形成した折返し部４ｂを脚体１ａの端部に回動自在として取り付けたものとし、さらに脚体１ａの端部の上面には案内部材４を垂直に停止させておくための停止部５を設けたものとしている。
【００１７】
巻装体保持部材２は、金属や合成樹脂からなる角管や丸管または角棒や丸棒としており、四本の保持アーム２ａが略十字状に開いた状態で固定されており、これら四本の保持アーム２ａのうち対向する二本の保持アーム２ａには、保持アーム２ａの適宜位置で垂直方向に停止可能とすると共に折り畳み可能とした一対のスタッド６を取り付けたものとしている。
【００１８】
このスタッド６は、上端を約９０度の角度に折り曲げてフック部６ａを形成した棒状体としており、前記したように保持アーム２ａの適宜位置で垂直方向に停止可能とすると共に、保持アーム２ａに折り畳み可能として、この保持アーム２ａに摺動自在として取り付けた支持体７に取り付けたものとしている。すなわち、支持体７には保持アーム２ａの上面側に円柱体８を軸支しており、この円柱体８のネジ穴８ａにスタッド６の下端に形成したネジ部６ｂをねじ込むことにより、スタッド６を取り付けたものとしている。したがって、スタッド６を回動させて保持アーム２ａと直角となったところで、このスタッド６のネジ部６ｂの円柱体８のネジ穴８ａへのねじ込みを深め、スタッド６の下端を保持アーム２ａの上面に当接させれば、スタッド６は、この保持アーム２ａの適宜位置で垂直方向に停止可能となる。なお、保持アーム２ａの外方寄りには、係止穴１０を形成しており、スタッド６を保持アーム２ａの外方向に回動させて、上端のフック部６ａを係止穴１０に係止させておけば、このスタッド６を保持アーム２ａに折り畳んだ状態で止めておくことができるものとなる。
【００１９】
さらに、前記スタッド６を取り付けていないもう一対の保持アーム２ａの上面には、緩衝兼用結束体１１を着脱自在として取り付けたものとしている。この緩衝兼用結束体１１は、例えば表裏面の一方に多数の鉤状体１１ａを備え、他方に多数のループ状体１１ｂを備えた面接着ファスナーとすることができ、保持アーム２ａの上面に着脱自在として取り付けるには、表面に多数の鉤状体１２ａまたはループ状体１２ｂを備えた面接着ファスナー１２を保持アーム２ａの上面の所々に固着させ、この面接着ファスナー１２に前記緩衝兼用結束体１１の面接着ファスナーの表裏面の一方を接着させたものとすればよい。
【００２０】
軸支部３は、載置用支持脚１の中心部の上面に支軸体１３を突設し、この支軸体１３に軸受け１４を介して、巻装体保持部材２の中心部に固着させた支持筒１５を軸支したものとしている。なお、支軸体１３からの軸受け１４の抜け止めにはプッシュナット１６を用いており、また支持筒１５にはキャップ１７を被せたものとしている。
【００２１】
このようにすることにより、この発明の巻装体繰出装置は、略十字状とした載置用支持脚１の上方に略十字状とした巻装体保持部材２を水平回転自在に取り付けたものとすると共に、前記載置用支持脚１と巻装体保持部材２を略十字状に重ね合わせた状態に保持可能としたものとしている。
【００２２】
以上のように構成したこの発明の巻装体繰出装置を使用する場合には、次のようにする。
【００２３】
先ず、図１に示したように、スタッド６を保持アーム２ａの適宜位置で垂直方向に停止させ、図６に示したように、巻装体保持部材２に巻装体Ｗを装着する。すなわち、スタッド６の上端のフック部６ａを係止穴１０から外し、スタッド６を保持アーム２ａの上方向に回動させると共に保持アーム２ａの適宜位置まで摺動させ、その位置でスタッド６のネジ部６ｂの円柱体８のネジ孔８ａへのねじ込みを深め、スタッド６の下端を保持アーム２ａの上面に当接させ、このスタッド６を保持アーム２ａの垂直方向に停止させる。
【００２４】
そこで、このようにした保持アーム２ａの上に巻装体Ｗを置くと共に、巻装体Ｗの内径部をスタッド６で保持するようにして、巻装体保持部材２に巻装体Ｗを装着し、その巻装体Ｗの先端部を案内部材４のリング部４ａに通過させれば、この状態で巻装体保持部材２を回転させながら、巻装体Ｗを案内部材４のリング部４ａからスムーズに繰り出すことができる。この場合、巻装体Ｗの底面の一部が保持アーム２ａの上面に取り付けられた緩衝兼用結束体１１と接触しており、この緩衝兼用結束体１１から緩衝作用を受けるので、巻装体Ｗを勢いよく繰り出しても、その反動で巻装体Ｗが跳ね上がるようなことはない。
【００２５】
また、この発明の巻装体繰出装置を使用しない場合には、次のようにしておく。
【００２６】
先ず、載置用支持脚１と巻装体保持部材２を略十字状に重ね合わせた状態にし、載置用支持脚１の対向する二本の脚体１ａの端部と、巻装体保持部材２の対向する二本のスタッド６を取り付けた保持アーム２ａの端部を、このスタッド６の先端部と共に緩衝兼用結束体１１により結束したものとしている（図７参照）。すなわち、図１に示した状態から、スタッド６のネジ部６ｂの円柱体８のネジ孔８ａへのねじ込みを緩め、スタッド６の下端と保持アーム２ａとの当接を解除することにより、保持アーム２ａに垂直方向に停止していたスタッド６を、保持アーム２ａ側に回動させて、上端のフック部６ａを係止穴１０に係止させ、このスタッド６を保持アーム２ａに折り畳んだ状態で止めておく。さらに、載置用支持脚１の脚体１ａの一端に取り付けた案内部材４を脚体１ａの裏面側に回動させて、折り畳んでおく。そして、略十字状に重ね合わせた状態にした載置用支持脚１の対向する二本の脚体１ａの端部、巻装体保持部材２の対向する二本のスタッド６を取り付けた保持アーム２ａの端部、スタッド６の先端部および案内部材４の端部に緩衝兼用結束体１１を巻き付けて、その面接着ファスナーの表裏面に備えた多数の鉤状体１１ａとループ状体１１ｂとを係合させることにより、この緩衝兼用結束体１１がこれら端部から外れないようにする。
【００２７】
このようにすれば、載置用支持脚１、巻装体保持部材２、スタッド６および案内部材４が重なりあって一纏めとなった状態で動かないようにしておくことができる。
【００２８】
そして、この発明の巻装体繰出装置を再び使用する場合には、次のようにする。
【００２９】
先ず、図７に示した状態において、載置用支持脚１、巻装体保持部材２、スタッド６および案内部材４の端部に巻き付けた緩衝兼用結束体１１を外し、この緩衝兼用結束体１１を保持アーム２ａの上面に取り付ける。すなわち、緩衝兼用結束体１１の一端部を捲り上げて、その面接着ファスナーの表裏面に備えた多数の鉤状体１１ａとループ状体１１ｂとの係合を外して、この緩衝兼用結束体１１を前記載置用支持脚１、巻装体保持部材２、スタッド６および案内部材４の端部から外す。そして、この緩衝兼用結束体１１の表裏面の多数の鉤状体１１ａまたはループ状体１１ｂを、保持アーム２ａの上面に固着させた面接着ファスナー１２の表面の多数の鉤状体１２ａまたはループ状体１２ｂに係合させることにより、緩衝兼用結束体１１を保持アーム２ａの上面に固着させた面接着ファスナー１２に接着させる。
【００３０】
このようにすれば、図１に示したように、前記と同様にスタッド６を保持アーム２ａの適宜位置で垂直方向に停止させ、巻装体保持部材２に巻装体Ｗを装着すれば、再び前記したような状態で使用することができる。
【００３１】
【発明の効果】
この発明の巻装体繰出装置は、以上に述べたように構成されているので、使用する場合に巻装体を勢いよく繰り出しても、その反動で巻装体が跳ね上がったりせず、巻装体をしっかりと保持しておくことができ、巻装体に傷をつけることもなく、また使用しない場合に巻装体保持部材および載置用支持脚を折り畳むという作業が不要であり、しかもこれら巻装体保持部材および載置用支持脚を簡単に動かないようにして、ばらついてしまうことのないようにし、さらに使用する場合や使用しない場合に、その使用する状態から使用しない状態、または使用しない状態から使用する状態に素早く切り換えることができるものとなった。
【図面の簡単な説明】
【図１】この発明の巻装体繰出装置の一実施形態を示す斜視図である。
【図２】この発明の巻装体繰出装置の保持アームとスタッドの連結状態を示す断面図である。
【図３】この発明の巻装体繰出装置の軸支部の縦断面図である。
【図４】この発明の巻装体繰出装置の軸支部の水平断面図である。
【図５】この発明の巻装体繰出装置の巻装体保持部材の回転状態を示す平面図である。
【図６】この発明の巻装体繰出装置の使用する場合の状態を示す斜視図である。
【図７】この発明の巻装体繰出装置の使用しない場合の状態を示す斜視図である。
【図８】従来の巻装体繰出装置の一例を示す斜視図である。
【図９】従来の巻装体繰出装置の使用しない場合の状態を示す斜視図である。
【符号の説明】
１  載置用支持脚
１ａ  脚体
２  巻装体保持部材
２ａ  保持アーム
３  軸支部
４  案内部材
６  スタッド
１１  緩衝兼用結束部材
【図１】
0004665351.tif 000002
【図２】
0004665351.tif 000003
【図３】
0004665351.tif 000004
【図４】
0004665351.tif 000005
【図５】
0004665351.tif 000006
【図６】
0004665351.tif 000007
【図７】
0004665351.tif 000008
【図８】
0004665351.tif 000009
【図９】
0004665351.tif 000010